(57)【要約】  記載する実施形態は、センサパッチの側方要素を使用して一時的に取り外して同じ場所に再適用することができるセンサパッチに関する。センサパッチが人の付属肢のような物体に接着させられるときに側方要素をセンサパッチ上に折り畳むことができる。付属肢上のセンサパッチの配置を維持するために側方要素を展開して付属肢に接着させることができる。このようにして、センサパッチを廃棄することを必要とせずに、センサパッチを位置付ける場所で洗浄のような保守を行うことができる。ひとたび保守が完了すると、保守を再び行うまで、側方要素を展開してセンサパッチの表面に戻すことができる。
2019537470.tif 000002
【特許請求の範囲】
【請求項１】
第１の接着表面と、該第１の接着表面とは反対の非接着表面とを含み、前記第１の接着表面は、物体に接着するように構成される、接着本体と、
前記接着本体のエッジから延び、第２の接着表面を含む、側方要素とを含み、
前記第２の接着表面は、
レストモードにあるときに、前記非接着表面に接着し、
リフトモードにあるときに、前記物体に接着する、
ように構成される、
装置。
【請求項２】
前記第１の接着表面は、前記第２の接着表面よりも低い結合強度を有する、請求項１に記載の装置。
【請求項３】
前記側方要素は、前記側方要素が前記レストモードにあるときに、前記第２の接着表面から見て外方に向くように構成される非接着部分を含む、請求項１に記載の装置。
【請求項４】
前記非接着部分は、前記側方要素が前記リフトモードにあるときに、前記接着本体と前記第２の接着表面との間に延びる、請求項３に記載の装置。
【請求項５】
前記第２の接着表面は、前記レストモードにあるときに、前記第２の接着表面の第１の部分と前記第２の接着表面の第２の部分との間で折り畳まれるように構成される、請求項３に記載の装置。
【請求項６】
前記レストモードにあるときに、前記第２の接着表面の前記第１の部分は、前記第２の接着表面の前記第２の部分に接着し、前記側方要素の遠位端が、把持可能な非接着部分を含む、請求項５に記載の装置。
【請求項７】
前記接着本体の前記非接着表面に取り付けられる保持バンドを更に含み、前記レストモードにあるときに、前記保持バンドは、前記側方要素を少なくとも部分的に取り囲む、請求項１に記載の装置。
【請求項８】
前記第１の接着表面の第１の表面積は、前記第２の接着表面の第２の表面積よりも大きい、請求項１に記載の装置。
【請求項９】
前記側方要素は、前記側方要素を前記接着本体に接続する接合部について回転するように構成され、前記第２の接着表面は、前記接着本体の前記非接着表面に接着するように構成される、請求項１に記載の装置。
【請求項１０】
第１の接着表面を含むフレキシブル本体と、
該フレキシブル本体に接続されるセンサと、
前記フレキシブル本体に接続される側方要素とを含み、
該側方要素は、前記第１の接着表面よりも高い結合強度を有する第２の接着表面を含む、
コンピューティングデバイス。
【請求項１１】
前記第２の接着表面が前記フレキシブル本体の前記非接着表面に接着されることが決定されるときに、前記センサの動作モードを変更するように構成される、コントローラを更に含む、請求項１０に記載のコンピューティングデバイス。
【請求項１２】
側方要素を含む接着パッチを使用する方法であって、
前記接着パッチの接着本体を物体の領域に接着させるステップと、
前記側方要素の接着表面を前記接着本体の非接着表面から分離させるステップと、
前記側方要素の前記接着表面を前記物体の別個の領域に接着させるステップと、
前記側方要素の前記接着表面が前記物体に接着させられるときに前記接着本体を前記物体から分離させるステップとを含む、
方法。
【請求項１３】
前記側方要素を前記接着本体と前記側方要素との間の接合部について回転させるステップを更に含み、前記接合部は、前記接合部での曲げ抵抗を減少させる予め切断された領域を含む、請求項１２に記載の方法。
【請求項１４】
前記側方要素の非接着部分は、前記接着本体が前記物体の前記領域に接着させられるときに、前記物体から見て外方に向く、請求項１２に記載の方法。
【請求項１５】
前記側方要素の前記非接着部分は、前記側方要素の前記接着表面が前記物体の前記別個の領域に接着させられるときに、前記物体に向かって面する、請求項１４に記載の方法。
【請求項１６】
前記接着本体を前記物体に再接着させるステップと、
前記側方要素の前記接着表面を前記接着本体の前記非接着表面に接着させるステップとを更に含む、
請求項１２に記載の方法。
【発明の詳細な説明】
【技術分野】
【０００１】
記載する実施形態は、一般的には、着用可能な(wearable)皮膚パッチに関する。より具体的には、排他的ではないが、本明細書に開示する様々なシステム、方法、及び装置は、センサパッチの部分が保守目的のために取り外される間に、センサパッチを適所に固定する側方要素を含み得る、着用可能なセンサパッチに関する。
【背景技術】
【０００２】
スポーツ、医薬送達、患者モニタリング、又は身体部分の保護のために、着用可能な皮膚パッチを使用することができる。多くの場合、着用可能なパッチは、もはや人が着用する必要がなくなる前に複数回交換される。パッチ交換は、しばしば、感染の発生及びユーザの不快感を抑えようとする衛生要件によって必要とされる。しかしながら、パッチの交換は、コスト及び時間がかかり、それは複雑さに依存して増加し得る。医療用パッチの場合、ヘルスケア従事者は、彼らが管理している患者集団の大きさに依存して、所与の1日に多数の医療用パッチを完全に取り外して交換する時間を有さないことがある。在宅介護の状況では、ユーザは、パッチを所定の場所で適切に交換するのに困難を有することがある。
【発明の概要】
【０００３】
本開示は、センサパッチの保守が行われる間にセンサパッチを適所に固定する側方要素を含むセンサパッチを使用するのシステム、方法、及び装置に向けられている。概して、１つの態様では、本開示の選択的な態様で構成される装置は、第１の接着表面と、第１の接着表面と反対側の非接着表面とを含み、第１の接着表面は、物体に接着するように構成される、接着本体と、接着本体のエッジから延び、第２の接着表面を含む、側方要素とを含む。様々な実施形態において、第２の接着表面は、レストモードにあるときに前記非接着表面に接着し、リフトモードにあるときに前記物体に接着する、ように構成されてよい。
【０００４】
様々な実施形態において、第１の接着表面は、第２の接着表面よりも低い結合強度を有してよい。様々な実施形態において、側方要素は、側方要素がレストモードにあるときに、第２の接着表面から見て外方に向くように構成される非接着部分を含んでよい。様々な実施形態において、非接着部分は、側方要素がリフトモードにあるときに、接着本体と第２の接着表面との間に延在してよい。様々な実施形態において、第２の接着表面は、レストモードにあるときに、第２の接着表面の第１の部分と第２の接着表面の第２の部分との間で折り畳まれるように構成されてよい。様々な実施形態において、レストモードにあるときに、第２の接着表面の第１の部分は、第２の接着表面の第２の部分に接着してよく、側方要素の遠位端は、把持可能な非接着部分を含んでよい。
【０００５】
様々な実施形態において、装置は、接着本体の非接触表面に取り付けられる保持バンドを更に含んでよく、レストモードにあるときに、保持バンドは、側方要素を少なくとも部分的に取り囲む。様々な実施形態において、第１の接着表面の第１の表面積は、第２の接着表面の第２の表面積よりも大きくてよい。様々な実施形態において、側方要素は、側方要素を接着本体に接続する接合部について回転するように構成されてよく、第２の接着表面は、接着本体の非接触表面に接着するように構成されてよい。
【０００６】
第１の接着表面を含むフレキシブル本体と、フレキシブル本体に接続されるセンサと、フレキシブル本体に接続される側方要素とを含み、側方要素は、第１の接着表面よりも高い結合強度を有する第２の接着表面を含む、コンピューティングデバイスが提供されてもよい。
【０００７】
様々な実施形態において、センサは、第２の接着表面がフレキシブル本体の非接着表面に接着させられるときに動作モードを変更するように構成されてよい。
【０００８】
側方要素を含む接着パッチを使用する方法が提供されてもよい。方法は、接着パッチの接着本体を物体の領域に接着させるステップと、側方要素の接着表面を接着本体の非接着表面から分離させるステップと、側方要素の接着表面を物体の別個の領域に接着させるステップと、側方要素の接着表面が物体に接着させられるときに接着本体を物体から分離させるステップとを含む。
【０００９】
様々な実施形態において、方法は、側方要素を接着本体と側方要素との間の接合部について回転させるステップを更に含んでよく、接合部は、接合部での曲げ抵抗を減少させる予め切断された領域を含む。様々な実施形態では、側方要素の非接着部分が、接着本体が物体の領域に接着させられるときに、物体から見て外方に向いてよい。様々な実施形態において、側方要素の記非接着部分は、側方要素の接着表面が物体の別個の領域に接着させられるときに、物体に向かって面してよい。様々な実施形態において、方法は、接着本体を物体に再接着させるステップと、側方要素の接着表面を接着本体の非接着表面に接着させるステップとを更に含んでよい。
【００１０】
「コントローラ(controller)」という用語は、本明細書に記載する１以上の構成要素の動作に関連する様々な装置を記載するために本明細書で一般的に使用される。コントローラを（例えば、専用ハードウェアを用いることのような）数多くの方法において実施して本明細書で議論する様々な機能を実行することができる。「プロセッサ」は、本明細書で議論する様々な機能を実行するためにソフトウェア（例えば、マイクロコード）を使用してプログラムされることがある１以上のマイクロプロセッサを利用するコントローラの一例である。コントローラは、プロセッサを利用して或いは利用しないで実装されてよく、幾つかの機能を実行する専用ハードウェアと他の機能を実行するプロセッサ（例えば、１以上のプログラムされたマイクロプロセッサ及び関連する回路構成）との組み合わせとして実装されてよい。本開示の様々な実施形態において利用されてよいコントローラ構成要素の例は、従来的なマイクロプロセッサ、特定用途向け集積回路（ＡＳＩＣ）、及びフィールドプログラマブルゲートアレイ（ＦＰＧＡ）を含むが、これらに限定されない。
【００１１】
様々な実施では、プロセッサ又はコントローラが、1以上の記憶媒体と関連付けられてよい（本明細書では一般的に「メモリ」と呼び、例えば、ＲＡＭ、ＰＲＯＭ、ＥＰＲＯＭ、及びＥＥＰＲＯＭ、フロッピーディスク、  コンパクトディスク、光ディスク、磁気テープ等のような、揮発性及び不揮発性コンピュータメモリ）。幾つかの実施において、記憶媒体は、1以上のプロセッサ及び／又はコントローラ上で実行されるときに本明細書で議論する機能のうちの少なくとも一部を実行する、1以上のプログラムで符号化されてよい。本明細書で議論する本発明の様々な態様を実施するために、記憶媒体上に格納される１以上のプログラムをプロセッサ又はコントローラ内にロードすることができるよう、様々な記憶媒体がプロセッサ又はコントローラ内に固定されてよく、或いは輸送可能であってよい。「プログラム」又は「コンピュータプログラム」という用語は、１以上のプロセッサ又はコントローラをプログラムするために利用することができる任意の種類のコンピュータコード（例えば、ソフトウェア又はマイクロコード）を指す一般的な意味において本明細書で使用される。
【００１２】
前述の着想及び以下でより詳細に議論する追加的な着想の全ての組み合わせは、（そのような着想が相互に矛盾しないことを条件として）、本明細書に開示する発明的な主題の一部であると考えられることが理解されるべきである。特に、この開示の最後に現れる請求項の主題の全ての組み合わせは、本明細書で開示する発明的な主題の一部であると考えられる。参照として本明細書に援用されるいずれかの開示に現れることもある本明細書で明示的に利用される用語には本明細書に開示される特定の着想と最も一致する意味が与えられるべきである。
【００１３】
図面中、同等の参照記号は、異なる図を通じて同じ部品を概ね指している。また、図面は、必ずしも寸法通りでなく、代わりに本発明の原理を例示する強調が概ね置かれている。
【図面の簡単な説明】
【００１４】
【図１Ａ】レストモードにある付属肢に接着されるセンサパッチの実施形態を例示している。
【図１Ｂ】リフトモードにある付属肢に接着されるセンサパッチの実施形態を例示している。
【図２Ａ】幾つかの実施形態に従ってレストモードからリフトモードに移行されているセンサパッチの斜視図である。
【図２Ｂ】幾つかの実施形態に従ってレストモードからリフトモードに移行されているセンサパッチの斜視図である。
【図２Ｃ】幾つかの実施形態に従ってレストモードからリフトモードに移行されているセンサパッチの斜視図である。
【図３Ａ】レストモードとリフトモードとの間でセンサパッチを移行させるための複数の折り畳み領域を有する少なくとも１つの側方要素を含むセンサパッチの実施形態を例示している。
【図３Ｂ】レストモードとリフトモードとの間でセンサパッチを移行させるための複数の折り畳み領域を有する少なくとも１つの側方要素を含むセンサパッチの実施形態を例示している。
【図３Ｃ】レストモードとリフトモードとの間でセンサパッチを移行させるための複数の折り畳み領域を有する少なくとも１つの側方要素を含むセンサパッチの実施形態を例示している。
【図４Ａ】センサパッチの側方要素を保護する保持バンドを含むセンサパッチの実施形態を例示している。
【図４Ｂ】センサパッチの側方要素を保護する保持バンドを含むセンサパッチの実施形態を例示している。
【図４Ｃ】センサパッチの側方要素を保護する保持バンドを含むセンサパッチの実施形態を例示している。
【図５Ａ】センサパッチの本体を物体から離れる方向に引っ張るときにセンサパッチを把持するためのストラップを含むセンサパッチの実施形態を例示している。
【図５Ｂ】センサパッチの本体を物体から離れる方向に引っ張るときにセンサパッチを把持するためのストラップを含むセンサパッチの実施形態を例示している。
【図５Ｃ】センサパッチの本体を物体から離れる方向に引っ張るときにセンサパッチを把持するためのストラップを含むセンサパッチの実施形態を例示している。
【図６】幾つかの実施形態に従ったセンサパッチをレストモードからリフトモードに移行させる方法を例示している。
【図７】幾つかの実施形態に従ったセンサパッチがリフトモード又はレストモードにあるか否かに基づいてセンサパッチのセンサを制御する方法を例示している。
【発明を実施するための形態】
【００１５】
記載する実施形態は、人の体に取り付けるセンサパッチに関する。センサパッチは、センサパッチの一部が体から離れる方向に持ち上げられる間にセンサパッチが適所に保持されることを可能にする、異なる接着構成を含むことができる。これは、センサパッチを完全に交換することを必要とせずに、保守(メンテナンス)(maintenance)がセンサパッチの下で行われることを可能にする。典型的には、パッチが自宅で又は病院内で人によって着用されるとき、皮膚の下の皮膚は、皮膚薬で洗浄されて治療されるべきであり、さもなければ、皮膚は刺激されて感染されるようになり得る。幾つかの場合には、パッチの下の皮膚の保守を行うのに必要な時間を短縮するために、パッチは取り除かれて廃棄される。その上、自分自身でパッチを交換する人は、器用さ及び視力に問題を有することがあり、従って、彼らのヘルスケア提供者によって規定される同じ場所でパッチを交換しないことがある。例えば、パッチは、皮膚が治癒することを可能にする特定の領域に戻されることが必要である場合があり、或いは、センサを備えるパッチは、センサが特定の条件を検出することを可能にする同じ場所に戻されることが必要である場合がある。
【００１６】
本明細書に示す実施形態は、保守中に係合されることができ、保守が行われていないときに外されることができる、接着性の側方要素(adhesive  side  elements)を備えるパッチを提供することによって、パッチ保守のこれらの問題を解決する。例えば、側方要素をパッチから一時的に延ばして、人の皮膚に接着させることにより、パッチをリフトモードに配置することができる。リフトモードにある間に、パッチは、次に、保守のために皮膚から持ち上げられることができ、次に、皮膚上のパッチの配置及び向きを失うことなく皮膚に戻されることができる。ひとたびパッチが皮膚に戻されると、側方要素を皮膚から取り外してパッチに接着するか、さもなければパッチと再係合させることにより、パッチをレストモードに配置することができる。レストモードにおいて、側方要素は、側方要素の非接着表面が皮膚に接着されるパッチの接着表面から見て外方に向くように、配置されることができる。パッチは、パッチが皮膚に適用される前に、最初にパッチに取り付けられる非接着ライナを更に含むことができる。非接着ライナは、パッチの接着面並びにパッチの側方要素の１以上（１つ又はそれよりも多く）の接着面を覆うことができる。
【００１７】
パッチ上で使用される接着剤は、導電性接着剤及び／又は非導電性接着剤のうちの少なくとも１つを含むことができる。導電性接着剤は、信号がパッチのセンサに及び／又はパッチのセンサから進む媒体として働くことができる。パッチは、パッチがリフトモードにあるときに交換することができる電池を含むことができる。幾つかの実施形態において、接着剤は、ヒドロゲル、接着剤フォーム、ラテックスベースの接着剤、シリコンベースの接着剤、感圧接着剤、及び／又は物体を皮膚に接着させるための任意の他の適切な接着剤を含むことができる。幾つかの実施形態において、パッチの側方要素上の接着剤の結合強度は、パッチの本体の表面積に基づく。このようにして、パッチの本体の結合強度は表面積に依存し得るので、側方要素の結合強度が本体の結合強度よりも高いことを確実にすることができる。これは、パッチの本体が表面から取り外されるときに、側方要素がパッチを適所に固定することを可能にする。
【００１８】
幾つかの実施形態において、パッチは、パッチの本体のエッジから延びる１以上の側方要素を含むことができる。側方要素は、接着表面と、非接着表面とを含むことができる。側方要素が側方要素とパッチの本体とを接続する接合部の周りに折り畳まれるとき、パッチはレストモードにあることができる。レストモードにあるとき、側方要素は、側方要素の接着表面がパッチの本体の接着表面から見て外方に向くパッチの表面に接着されるように、更に折り畳まれることができる。側方要素の非接着表面は、パッチが衣類又はパッチと接触することがある他の物体に貼着するのを防止するために、パッチの本体の接着表面から見て外方に向くことができる。
【００１９】
他の実施形態において、パッチは、側方要素を含むことができ、側方要素のエッジ(edge)又はリップ(lip)を単一の方向に引っ張って、側方要素をパッチが接着される物体に接着することによって、側方要素をレストモードからリフトモードに移行させることができる。側方要素は、パッチの周囲からオフセットされたパッチの部分に取り付けられることができる。側方要素は、側方要素の２つの接着面の間の折り目(fold)と、側方要素の非接着表面と接着表面との間の折り目とを含むことができる。側方要素の接着表面は、リフトモードにあるパッチと同じ物体に接着されることができる。非接着表面は、リフトモードにおいてパッチの一部の上に延びることができる。レストモードにおいて、側方要素は、側方要素の一方の接着面が側方要素の非接着表面に接着され、側方要素の他の接着表面がパッチの本体に接着されることができるように、折り畳まれることができる。側方要素は、レストモードとリフトモードとの間の容易な移行を可能にするために、側方要素がレストモードにあるときにパッチの本体のエッジの上に延びることができる、把持可能なリップを含むことができる。
【００２０】
更に他の実施形態において、パッチは、パッチの接着表面から見て外方に向くパッチの本体の表面にポケット(pocket)を含むことができる。ポケットは、パッチがレストモードにあるとき、側方要素を少なくとも部分的に取り囲むことができる。このようにして、側方要素は、動きにおいて制限され、レストモードにあるときに意図せずに展開すること(unfolding)を防止することができる。パッチをリフトモードに移行させることは、側方要素をポケットから引っ張って、側方要素の接着表面をパッチが接着される物体に接着することによって、行われることができる。側方要素は、側方要素の接着表面を物体から取り外して、側方要素の少なくとも一部をポケット内に戻すことによって、ポケット内に配置されることができる。次に、側方要素の接着表面は、側方要素の少なくとも一部がポケットによって取り囲まれる間に、パッチの表面に接着されることができる。側方要素は、フレキシブルな及び／又は弾性的な材料で作られることができる。例えば、側方要素は、リフトモードから引き出され、自動的に所定の形状に戻ることができる、形状記憶材料で作られることができる。
【００２１】
パッチは、１以上の側方要素と、側方要素が皮膚と係合しているときにパッチの持上げを助けるために握ることができる１以上のハンドルとを含むことができる。ハンドルは、非限定的に、パッチの周囲の一部及び／又はパッチのエッジとは別個のパッチの内面のような、パッチの任意の部分に亘って延在することができる。幾つかの実施形態において、ハンドルは、レストモード及び／又はリフトモードで作動するときに側方要素を安定させるために、レストモード及び／又はリフトモードにおいて側方要素と少なくとも部分的に重なり合うことができる。
【００２２】
図１Ａは、センサパッチ１０２のレストモード(休止モード)(rest  mode)において付属肢１１０(appendage)に接着されたセンサパッチ１０２の実施形態の斜視図１００を例示している。センサパッチ１０２は、人の健康に関するデータを収集するセンサを含むことができる。センサパッチ１０２は、センサパッチ１０２のセンサに電力供給して制御する電源及び／又はコントローラを含む、コンピューティングデバイスであることができる。センサパッチ１０２は、センサパッチ１０２のセンサからの信号に基づくデータを送信する送信器も含むことができる。センサ、送信器、電源、及び／又はコントローラは、センサパッチ１０２の本体１０４内に、且つ／或いはセンサパッチ１０２から離れた場所に配置されることができる。センサパッチ１０２は、側方要素１０６(side  element)も含む。側方要素１０６は、センサパッチ１０２の周縁又は表面のようなセンサパッチ１０２の任意の部分に接続されることができる。側方要素１０６は、少なくとも１つの接着表面と、少なくとも１つの非接着表面とを含むことができる。側方要素１０６の接着表面は、センサパッチ１０２がレストモードにある間にセンサパッチ１０２の本体１０４の非接着性外面に接着されることができる。加えて、側方要素１０６の非接着表面は、側方要素が衣類又はセンサパッチ１０２と接触し得る他の物体に貼着するのを防止するために、レストモードにあるときに本体１０４から見て外方に向くことができる。本体１０４から離れる方向１０８の引張力で側方要素１０６を引っ張ることによって、センサパッチ１０２をリフトモード(持上げモード)(lift  mode)に移行させることができる。図１Ｂに示すように、本体１０４が接着される領域とは別個の付属肢１１０の場所に側方要素１０６の接着表面を接着することができる。
【００２３】
図１Ｂは、リフトモードにあるセンサパッチ１０２のある実施形態の斜視図１１２を例示している。リフトモードにおいて、側方要素１０６の接着表面が、センサパッチ１０２のユーザの付属肢１１０に接着される。次に、付属肢１１０から離れる方向にある引張力によってセンサパッチ１０２の本体１０４を付属肢１１０から離れる方向に持ち上げることができる。次に、センサパッチ１０２の本体１０４が以前に接着された領域は、例えば、洗浄すること及び／又は殺菌することを含む、ある程度の量の保守を受けることができる。ひとたび保守が行われると、センサパッチ１０２の本体１０４を付属肢１１０に接着して戻し、側方要素１０６をそれ自体の上に折り畳むことができる。例えば、側方要素１０６は、側方要素１０６の接着表面と非接着表面との間に折り目(fold)を含むことができる。側方要素１０６の接着表面を折り目の周りで回転させることができ、次に、接着表面が本体１０４の外面に接触して接着するよう、側方要素１０６を回転させることができる。幾つかの実施形態では、接着表面がセンサパッチ１０２の本体１０４の外面に接着されるとき、センサパッチ１０２はレストモードにある。その上に、幾つかの実施形態において、センサパッチ１０２のコントローラは、センサパッチ１０２がリフトモードにあるか或いはレストモードにあるかに依存してセンサの動作モードを変更することができる。例えば、コントローラは、センサパッチ１０２がリフトモードにあるときに、センサを低電力モードで作動させることができる。幾つかの実施形態では、センサパッチ１０２がリフトモードにあるときには、レストモードの間に収集されるデータのみが維持されることを保証するために、センサからのデータを破棄するか或いは無効にすることができる。他の実施形態において、センサに接続されるコントローラは、タイムスタンプを記録することができる。センサパッチ１０２がリフトモードにあるときに受信されるセンサデータに開始タイムスタンプ又はリフトタイムスタンプを割り当てることができ、センサパッチ１０２がレストモードにあるときに終了タイムスタンプ又はレストタイムスタンプをセンサデータに割り当てることができる。その上、開始タイムスタンプと終了タイムスタンプとの間に受信されたセンサデータを廃棄することができる。何故ならば、センサデータは、センサパッチ１０２が持ち上げられたときに受信されたからである。
【００２４】
図２Ａ〜図２Ｃは、本明細書で議論する幾つかの実施形態に従ったレストモードからリフトモードに移行させられているセンサパッチ２１０の斜視図を例示している。具体的には、図２Ａは、レストモードにあるセンサパッチ２１０のある実施形態の斜視図２００を例示している。センサパッチ２１０は、側方要素２０２と、本体２０４とを含むことができる。レストモードにあるときに、側方要素２０２を本体２０４の外面２０６に接着することができる。化学接着剤、ベルクロ（登録商標）のような機械的ファスナ、及び／又は任意の他の種類の固定装置を使用して、側方要素２０２を外面２０６に接着することができる。衣服や粉塵のような他の物体がセンサパッチ２１０に貼着するのを防止するために、外面２０６は、非接着表面であることができる。側方要素２０２の非接着表面２０８は、センサパッチ２１０がレストモードにあるときに、本体２０４から見て外方を向くことができる。
【００２５】
図２Ｂは、レストモードからリフトモードに移行させられているセンサパッチ２１０の斜視図２１２を例示している。センサパッチ２１０をリフトモードに移行させるとき、側方要素２０２は、側方要素２０２とセンサパッチ２１０との間の接合部２２０の周りで、センサパッチ２１０の本体２０４の外面２０６から離れる方向２１６に押される(forced)。加えて、センサパッチ２１０をリフトモードに移行させるとき、側方要素２０２の第１の表面２１４は、側方要素２０２の第２の表面２１８から分離される。第２の表面２１８は、非接着表面２０８から見て外方に向く側方要素２０２の表面であることが留意されるべきである。第１の表面２１４及び／又は第２の表面２１８は、接着表面であることができる。例えば、第１の表面２１４は、センサパッチ２１０がリフトモードにあるときに、付属肢のような物体に接着させられることができる接着表面であることができる。幾つかの実施形態では、第１の表面２１４及び第２の表面２１８の両方が接着表面であり得る。その上、第１の表面２１４は、センサパッチ２１０の本体２０４上に配置される接着剤よりも高い結合強度を有する接着剤を含むことができる。
【００２６】
図２Ｃは、リフトモードにあるセンサパッチ２１０の斜視図２２２を例示している。リフトモードでは、側方要素２０２が物体の異なる領域に接着される間に、センサパッチ２１０の本体２０４を物体のある領域から持ち上げることができる。このようにして、物体が付属肢の皮膚であるとき、センサパッチ２１０の本体２０４が皮膚から離れる方向に持ち上げられる間に、皮膚に対する保守を行うことができる。これはセンサパッチ２１０の再利用性が促進し、センサパッチ２１０のより頻繁な保守を可能にする。図３Ａ〜図３Ｃは、センサパッチ３１０をレストモードとリフトモードとの間で移行させるための複数の折り畳み領域を有する少なくとも１つの側方要素を含むセンサパッチ３１０のある実施形態を例示している。具体的には、図３Ａは、レストモードにおけるセンサパッチ３１０の斜視図３００を例示しており、各側方要素３０２は、センサパッチ３１０の外面３０６の上に延在している。外面３０６の周縁内に配置される接合部３１２で各側方要素３０２を外面に取り付けることができる。各側方要素３０２は、センサパッチ３１０の本体３０４の外面３０６から見て外方に向く非接着表面３０８を含むことができる。幾つかの実施形態では、センサパッチ３１０がレストモードにあるときに、各側方要素３０２の一部が本体３０４のエッジと面一である。他の実施形態では、レストモードにある側方要素３０２の把持を容易にするために、側方要素３０２の一部が本体３０４のエッジの上に延在する。
【００２７】
図３Ｂは、レストモードからリフトモードに移行しているセンサパッチ３１０の斜視図３１４を例示している。各側方要素３０２をセンサパッチ３１０の本体３０４から離れる方向３１８に引っ張ることによって、センサパッチ３１０をリフトモードに移行させることができる。側方要素３０２がレストモードから引き出されるときに、側方要素３０２の第１の表面３１６が、センサパッチ３１０の本体３０４の外面３０６から取り除かれる。加えて、レストモードにあるときに、側方要素３０２の第２の表面３２０を、側方要素３０２の他の表面に接着することができ、リフトモードにあるときに、物体に取り付けることができる。第２の表面３２０は、第３の表面３２４とは反対の側方要素３０２上の表面であることが留意されるべきである。その上、レストモードにあるときい、第３の表面３２４は、第４の表面３２２に当接することができる。幾つかの実施形態において、表面３１６、第２の表面３２０、第３の表面３２４及び／又は第４の表面３２２は、化学接着剤又は機械的取付け装置を含むことができる。他の実施形態において、第１の表面３１６、第２の表面３２０、第３の表面３２４及び／又は第４の表面３２２は、非接着表面３０８であることができる。
【００２８】
図３Ｃは、リフトモードにあるセンサパッチ３１０の斜視図３２６を例示している。リフトモードにあるときに、第１の表面３１６は、センサパッチ３１０の本体３０４がレストモードにおいて接着させられた領域とは異なる物体上の場所に接着させられることができる。幾つかの実施形態において、第２の表面３１８は、リフトモードにあるときに、物体に接着させられることもできる。他の実施形態では、リフトモードにあるときに、第２の表面３２０は、物体に接着されない。リフトモードにあるときに、非接着面３０８を外面３０６の接着部分に取り付けることによって、非接着面３０８とは反対の面を外面３０６に接着することができる。センサパッチ３１０の本体３０４は、外面３０６の反対側にある接着表面を含むことができる。本体３０４上の接着剤は、第１の表面３１６上の他の接着剤よりも低い結合強度を有することができる。しかしながら、幾つかの実施形態において、本体３０４上の接着剤は、第１の表面３１６上の他の接着剤と同等以上の結合強度を有することができる。幾つかの実施形態において、第１の表面３１６及び／又は外面３０６の一部は、ベルクロ（登録商標）ループ又はフックを含むことができる。他の実施形態において、第３の表面３２４及び／又は第４の表面３２２は、ベルクロ（登録商標）フック及び／又はループを含むことができる。
【００２９】
図４Ａ〜図４Ｃは、側方要素４０８を保護する保護バンド４０２を含むセンサパッチ４１０の実施形態を例示している。保護バンド４０２は、物体が他の物体と接触することから守るのに適した任意の材料で作られることができる。保護バンド４０２は、外面４０６上の異なるエッジ又は外面４０６の周囲内の異なる場所で外面４０６に接続することができる。図４Ａの斜視図４００に例示するようなレストモードにあるとき、側方要素４０８は、保護バンド４０２によって少なくとも部分的に保持されるか或いは少なくとも部分的に取り囲まれる。幾つかの実施形態では、保護バンド４０２からの側方要素４０２の除去を助けるよう、側方要素４０８の一部が保護バンド４０２から外に延びる。
【００３０】
図４Ｂは、レストモードからリフトモードに移行しているセンサパッチ４１０の斜視図４１２を例示している。センサパッチ４１０の本体４０４から離れる方向４１６に側方要素４０８を引っ張ることによって、センサパッチ４１０をレストモードからリフトモードに移行させることができる。側方要素４０８がセンサパッチ４１０の本体４０４の内に引き入れられること及びセンサパッチ４１０の本体４０４の外に引き出されることを可能にするために、幾つかの実施形態において、側方要素４０８は、弾性部材を含むことができる。側方要素４０８をセンサパッチ４１０に固定するために、側方要素４０８の一部を保護バンド４０２及び／又は本体４０４に取り付けることができる。側方要素４０８は、非接着剤を含むことができる第１の表面４１４と、接着表面を含むことができる第２の表面４１８とを含むことができる。第２の表面４１８は、センサパッチ４１０がレストモードにあるときに、外面４０６に取り付けられることができる。センサパッチ４１０をリフトモードに移行させるとき、第２の表面４１８は、外表面４０６から少なくとも部分的に取り除かれて、本体４０４が接着される場所に隣接する物体の領域に接着させられることができる。
【００３１】
図４Ｃは、リフトモードにあるセンサパッチ４１０の斜視図４２０を例示している。リフトモードにある間に、側方要素４０８は、センサパッチ４１０の本体４０４が接着された領域とは異なる物体の領域に接着させられることができる。これは、物体に対して保守を行うことができるために、本体４０４が物体から持ち上げられることを可能にする。保守がひとたび完了すると、本体４０４は、本体４０４が以前に接着された領域に接着させられることができ、側方要素４０８は、保護バンド４０２内に戻されことができる。幾つかの実施形態では、センサパッチ４１０のセンサを制御するコントローラが、センサパッチ４１０の本体４０４がプログラムされた時間期間に亘って物体から取り外されたときに、信号を提供することができる。信号は、センサが物体の感知特性に基づいて信号を提供し続けることができるよう、本体４０４が物体に再接着させられるべきであることをセンサパッチ４１０のユーザに警告する、警告信号と関連付けられることができる。信号は、スピーカ、ディスプレイ、ライト、触覚フィードバックデバイス、熱電デバイス、及び／又はユーザにフィードバックを提供するのに適した任意の他のデバイスのような、コントローラの出力デバイスに、フィードバック信号を提供するよう、コントローラによって使用されることができる。コントローラは、本体４０４が物体から持ち上げられていること、側方要素４０８が保護バンド４０２から取り外されていること、及び／又は側方要素４０８が外面４０６から少なくとも部分的に取り外されていることに応答して、信号を出力することができる。
【００３２】
図５Ａ〜図５Ｃは、センサパッチ５１０の本体５０２を物体から離れる方向に引っ張るときにセンサパッチ５１０を把持するためのストラップ５０４を含むセンサパッチ５１０の実施形態を例示している。ストラップ５０４は、センサパッチ５１０の本体５０２のエッジに、或いは本体５０２のエッジから変位させられた外面５０８の一部に取り付けられることができる。図５Ａでは、センサパッチ５１０の側方要素５０６がセンサパッチ５１０の本体５０２によって少なくとも部分的に取り囲まれているレストモードにあるセンサパッチ５１０を例示するために、斜視図５００が提供されている。リストモードでは、側方要素５０６を隠すために、側方要素５０６は、センサパッチ５１０の本体５０２内に形成されるポケット内に配置されることができる。側方要素５０６を隠すことによって、側方要素５０６上に配置されるあらゆる接着剤は、センサパッチ５１０がレストモードにあるときにセンサパッチ５１０と接触し得る他の物体又は表面と接触するのが防止されることができる
【００３３】
図５Ｂは、図５Ａに例示されるレストモードからリフトモードに移行するセンサパッチ５１０の斜視図５１２を例示している。センサパッチ５１０は、本体５０２から離れる方向５１８に側方要素５０６を引っ張ることによって、リフトモードに移行させられることができる。側方要素５０６を引っ張ることの結果として、側方要素５０６は、本体５０２から延出して、第１の表面及び第２の表面を見せることができる。第１の表面５１４は、非接着表面であることができ、第２の表面５１６は、接着表面を含むことができる。付属肢のような物体の表面上の適所にセンサパッチ５１０を保持するために、移行中にストラップ５０４を保持することができる。幾つかの実施形態において、ストラップ５０４は、図４Ａ〜図４Ｃに例示される保護バンド４０２として機能することができる。その上、本明細書で議論する実施形態のうちのいずれかの実施形態の任意の構成を互いに交換して他の実施形態を創成し得ることが留意されるべきである。例えば、ストラップ５０４は、センサパッチ１０２、センサパッチ２１０、センサパッチ３１０、及び／又はセンサパッチ４１０を含む、本明細書で議論した実施形態のうちの任意の実施形態に含められることができる。
【００３４】
図５Ｃは、側方要素５０６の第２の表面５１６がセンサパッチ５１０の本体５０２とは異なる物体の領域に接着されている、リフトモードにあるセンサパッチ５１０の斜視図５２０を例示している。リフトモードでは、本体５０２を物体の表面から持ち上げることができる。側方要素５０６が弾性材料で作られるとき、側方要素５０６は、本体５０２を表面から引っ張るためにより少ない力が必要であるように、本体５０２を引っ張るように作用することができる。センサパッチ５１０は、第２の表面５１６をそれが接続されている物体の領域から切断して、側方要素５０６を本体５０２内に戻すことによって、レストモードに戻されことができる。幾つかの実施形態において、本体５０２の内側に配置されるコントローラは、側方要素５０６が本体５０２の内又は外にあるときを決定することができ、側方要素５０６の配置に基づいてセンサの動作モードを変更することができる。例えば、センサは、側方要素５０６が物体の表面に接着されるときに低電力モードで作動することができ、側方要素５０６が本体５０２内に戻されるときに通常電力モードで作動することができる。
【００３５】
図６は、幾つかの実施形態に従った、センサパッチをレストモードからリフトモードに移行させる方法６００を例示している。図示するように、方法６００は、ブロック６０２で開始し、ブロック６０２で、センサパッチの本体を、人の付属肢のような、物体の領域に接着する。ブロック６０４で、センサパッチの側方要素の接着表面をセンサパッチの本体の表面から分離する。ブロック６０６で、側方要素の接着表面を物体の別個の領域に接着する。ブロック６０８で、側方要素の接着表面が物体に接着されたままである間に、センサパッチの本体を物体から分離する。このようにして、センサパッチの本体が物体から分離される間に、物体に対する保守を行うことができる。加えて、センサパッチの本体を物体の以前の場所で物体に接着させることができる。何故ならば、側方要素は、センサパッチのためのプレースホルダ(placeholder)として機能するからである。ブロック６１０で、センサパッチの本体を物体の領域に再接着させる。ブロック６１２で、側方要素の接着表面を物体の別個の領域から分離することができる。ブロック６１４で、側方要素の接着表面をセンサパッチの本体の表面に接着することができる。
【００３６】
図７は、幾つかの実施形態に従った、センサパッチがリフトモードにあるか或いはレストモードにあるかに基づいてセンサパッチのセンサを制御する方法７００を例示している。図示のように、方法７００は、ブロック７０２で開始し、ブロック７０２で、センサパッチの本体を物体の領域に接着する。ブロック７０４で、センサパッチのセンサは、第１の動作モードで作動する。第１の動作モードは、センサが物体の物理特性に基づいて信号を出力する通常電力モードであることができる。ブロック７０６で、センサパッチの側方要素がセンサパッチの本体から分離されているかどうかの決定を行う。この決定は、センサパッチのコントローラ、センサパッチの接点スイッチ、及び／又はセンサの配置の変化を示し得る任意の他の回路要素によって行われることができる。ブロック７０６で、センサパッチの側方要素が身体から分離されているならば、方法７００は、ブロック７０８に進み、ブロック７０８で、センサパッチのセンサは、第２の動作モードで作動する。第２の動作モードは、センサが信号を供給しないか、或いはセンサが第１の動作モードにおいて提供される信号に対してより低い電力信号を供給する、低電力モードであることができる。幾つかの実施形態では、第２の動作モードにおいて、センサのデータを無効化し或いは廃棄することができる。例えば、センサパッチが持ち上げられるときに並びにセンサパッチがレストモードに戻されるときにタイムスタンプを記録することができる。タイムスタンプに対応する時間の間に収集されるデータを廃棄することができる。何故ならば、データが不正確なである場合があるからである。センサパッチの一部であるか或いはセンサパッチから遠隔であるコントローラは、動作モードの間でセンサを移行させることができることが留意されるべきである。側方要素がセンサパッチの本体から分離されていないならば、方法７００は、ブロック７０４に戻り、ブロック７０４で、センサは、第１の電力モードで作動する。
【００３７】
幾つかの発明的な実施形態を本明細書に記載し且つ例示したが、当業者は、機能を実行し且つ／或いは本明細書に記載した結果及び／又は利点の１以上を得るための様々な他の手段及び／又は構造を容易に構想するであろう。そして、そのような変形及び／又は修正の各々は、本明細書に記載する発明的な実施形態の範囲内にあると見なされる。より一般的には、当業者は、本明細書に記載する全てのパラメータ、寸法、材料、及び構成が例示的であると意図されること、並びに実際のパラメータ、寸法、材料、及び／又は構成が特定の用途又は発明的な教示が使用される用途に依存することを容易に理解するであろう。当業者は、本明細書に記載する特定の発明的な実施形態に対する多くの均等物を認識し、或いは日常的であることを超えない実験を使用して確かめることができるであろう。従って、前述の実施形態は一例として提示されているに過ぎないこと、並びに添付の請求項及びその均等物の範囲内で発明的な実施形態を具体的に記載し且つ請求する以外の方法で実施し得ることが理解されるべきである。本開示の発明的な実施形態は、本明細書に記載する個々の構成、システム、物品、材料、キット、及び／又は方法に向けられている。加えて、そのような構成、システム、物品、材料、キット、及び／又は方法が互いに矛盾していないならば、２以上（２つ又はそれよりも多く）のそのような構成、システム、物品、材料、キット、及び／又は方法の任意の組み合わせは、本開示の発明的な範囲内に含まれる。
【００３８】
本明細書で定義され且つ使用されるような全ての定義は、辞書の定義、参照として援用する文献中の定義、及び／又は定義される用語の通常の意味を支配すると理解されるべきである。
【００３９】
本明細書及び請求項で使用される単数形の表現は、逆のことが明確に示されない限り、「少なくとも１つ(at  least  one)」を意味するものと理解されるべきである。
【００４０】
本明細書及び請求項で使用される「及び／又は(and/or)」という句は、そのように結合される要素、即ち、幾つかの場合には結合的に存在するが他の場合には分離的に存在する要素の「一方又は両方」を意味するとものと理解されるべきである。「及び／又は」で列挙される複数の要素は、同じように、即ち、そのように結合される要素の「１以上」と解釈されるべきである。具体的に特定される要素に関連しているか否かに拘わらず、「及び／又は」節によって具体的に特定される要素以外の他の要素が任意的に存在してよい。よって、非限定的な例として、「含む(comprising)」のような開放端言語と共に使用されるときの「Ａ及び／又はＢ」への言及は、１つの実施形態では、（任意的にＢ以外の要素を含む）Ａのみを意味することができ、他の実施形態では、（任意的にＡ以外の要素を含む）Ｂのみを意味することができ、更に他の実施形態では、（任意的に他の要素を含む）Ａ及びＢの両方を意味することができる等である。
【００４１】
本明細書及び請求項で使用されるとき、「又は(or)」は、上記で定義した「及び／又は」と同じ意味を有すると理解されるべきである。例えば、リスト中の項目を分離するとき、「又は」又は「及び／又は」は、包括的、即ち、少なくとも1つを含むが、複数の要素又は要素のリストのうちの１つよりも多くも含み、任意的に、追加的な列挙されていない項目を含むものとして解釈されなければならない。「〜のうちの１つのみ」若しくは「厳密に１つ」のように逆のことが明確に示される用語のみ又は請求項で使用されるときの「〜からなる」が、複数の要素又は要素のリストのうちの厳密に１つの要素の包含を意味する。一般的に、本明細書で使用する「又は」という用語は、「いずれか」、「〜のうちの１つ」、「〜のうちの１つのみ」又は「〜のうちの厳密に１つ」のような排他的な用語によって先行されるときに、排他的な代替（即ち、「一方又は他方、しかしながら、両方ではない」）を示すと解釈されるに過ぎない。請求項で使用されるとき、「本質的に〜からなる」は、特許法の分野で使用されるときのその通常の意味を有するものとする。
【００４２】
本明細書及び請求項で使用されるとき、１以上の要素に言及する「少なくとも１つ」という句は、要素のリスト中の要素のうちから選択される少なくとも１つの要素を意味するが、要素のリスト内に具体的に列挙されるありとあらゆる要素のうちの少なくとも1つを含むことを必ずしも意味せず、要素のリスト中の要素の任意の組み合わせを含むことを排除しないと理解されるべきである。この定義は、「少なくとも１つ」という句が指す要素のリスト内で具体的に特定される要素以外の要素が、具体的に特定される要素に関連するか否かに拘わらず、任意的に存在することも可能にする。よって、ある非限定的な例として、「Ａ及びＢの少なくとも１つ」（又は同等に「Ａ又はＢの少なくとも１つ」又は同等に「Ａ及び／又はＢの少なくとも１つ」）は、１つの実施形態において、１つよりも多くのＡを任意的に含むが、Ｂが存在せず、（そして、Ｂ以外の要素を任意的に含む）、少なくとも１つを指し、他の実施形態において、１つよりも多くのＢを任意的に含むが、Ａが存在せず、（そして、Ａ以外の要素を任意的に含む）、少なくとも１つを指し、更に他の実施形態において、１よりも多くのＡを任意的に含む、少なくとも１つ、及び１よりも多くのＢを任意的に含み、（そして、他の要素を任意的に含む）、少なくとも１つ等を指す。
【００４３】
逆のことが明確に示されない限り、本明細書で請求するあらゆる方法は、１つよりも多いステップ又は行為を含み、方法のステップ又は行為の順序は必ずしも、方法のステップ又は行為が列挙される順序に必ずしも限定されないことも理解されるべきである。
【００４４】
請求項及び上記明細書において、「含む(comprising)」、「含む(including)」、「運ぶ(carrying)」、「有する(having)」、「収容する(containing)」、「包含する(involving)」、「保持する(holding)」、「〜で構成される(composed  of)」及び同等の句のような、全ての移行句は、開放端である、即ち、非限定的に含むことを意味すると理解されるべきである。「〜なる」及び「本質的に〜なる」という移行句だけが、それぞれ、米国特許庁の特許審査手続のセクション２１１１．０３に記載されるような閉塞又は半閉塞移行句であるものとする。特許協力条約（「ＰＣＴ」）の規則６．２（ｂ）に従って請求項で使用される特定の表現及び参照符号は、その範囲を限定しないことが理解されるべきである。
【図１Ａ】
2019537470.tif 000003
【図１Ｂ】
2019537470.tif 000004
【図２Ａ】
2019537470.tif 000005
【図２Ｂ】
2019537470.tif 000006
【図２Ｃ】
2019537470.tif 000007
【図３Ａ】
2019537470.tif 000008
【図３Ｂ】
2019537470.tif 000009
【図３Ｃ】
2019537470.tif 000010
【図４Ａ】
2019537470.tif 000011
【図４Ｂ】
2019537470.tif 000012
【図４Ｃ】
2019537470.tif 000013
【図５Ａ】
2019537470.tif 000014
【図５Ｂ】
2019537470.tif 000015
【図５Ｃ】
2019537470.tif 000016
【図６】
2019537470.tif 000017
【図７】
2019537470.tif 000018
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
第１の接着表面と、該第１の接着表面とは反対の非接着表面とを含み、前記第１の接着表面は、物体に接着するように構成される、接着本体と、
前記接着本体のエッジから延び、第２の接着表面を含む、側方要素とを含み、
前記第２の接着表面は、
レストモードにあるときに、前記非接着表面に接着し、
リフトモードにあるときに、前記物体に接着する、
ように構成される、
装置。
【請求項２】
前記第１の接着表面は、前記第２の接着表面よりも低い結合強度を有する、請求項１に記載の装置。
【請求項３】
前記側方要素は、前記側方要素が前記レストモードにあるときに、前記第２の接着表面から見て外方に向くように構成される非接着部分を含む、請求項１に記載の装置。
【請求項４】
前記非接着部分は、前記側方要素が前記リフトモードにあるときに、前記接着本体と前記第２の接着表面との間に延びる、請求項３に記載の装置。
【請求項５】
前記第２の接着表面は、前記レストモードにあるときに、前記第２の接着表面の第１の部分と前記第２の接着表面の第２の部分との間で折り畳まれるように構成される、請求項３に記載の装置。
【請求項６】
前記レストモードにあるときに、前記第２の接着表面の前記第１の部分は、前記第２の接着表面の前記第２の部分に接着し、前記側方要素の遠位端が、把持可能な非接着部分を含む、請求項５に記載の装置。
【請求項７】
前記接着本体の前記非接着表面に取り付けられる保持バンドを更に含み、前記レストモードにあるときに、前記保持バンドは、前記側方要素を少なくとも部分的に取り囲む、請求項１に記載の装置。
【請求項８】
前記第１の接着表面の第１の表面積は、前記第２の接着表面の第２の表面積よりも大きい、請求項１に記載の装置。
【請求項９】
前記側方要素は、前記側方要素を前記接着本体に接続する接合部について回転するように構成され、前記第２の接着表面は、前記接着本体の前記非接着表面に接着するように構成される、請求項１に記載の装置。
【請求項１０】
請求項１に記載の装置を含む、
コンピューティングデバイスであって、
センサが、前記接着本体と、前記センサに電力供給する電源及び／又は前記センサを制御するコントローラとに接続される、
コンピューティングデバイス。
【請求項１１】
前記コントローラは、前記第２の接着表面が前記接着本体の前記非接着表面に接着されることが決定されるときに、前記センサの動作モードを変更するように構成される、請求項１０に記載のコンピューティングデバイス。
【請求項１２】
側方要素を含む接着パッチを使用する方法であって、
前記接着パッチの接着本体を物体の領域に接着させるステップと、
前記側方要素の接着表面を前記接着本体の非接着表面から分離させるステップと、
前記側方要素の前記接着表面を前記物体の別個の領域に接着させるステップと、
前記側方要素の前記接着表面が前記物体に接着させられるときに前記接着本体を前記物体から分離させるステップとを含む、
方法。
【請求項１３】
前記側方要素を前記接着本体と前記側方要素との間の接合部について回転させるステップを更に含み、前記接合部は、前記接合部での曲げ抵抗を減少させる予め切断された領域を含む、請求項１２に記載の方法。
【請求項１４】
前記側方要素の非接着部分は、前記接着本体が前記物体の前記領域に接着させられるときに、前記物体から見て外方に向き、前記側方要素の前記非接着部分は、前記側方要素の前記接着表面が前記物体の前記別個の領域に接着させられるときに、前記物体に向かって面する、請求項１２に記載の方法。
【請求項１５】
前記接着本体を前記物体に再接着させるステップと、
前記側方要素の前記接着表面を前記接着本体の前記非接着表面に接着させるステップとを更に含む、
請求項１２に記載の方法。
【手続補正２】
【補正対象書類名】明細書
【補正対象項目名】０００２
【補正方法】変更
【補正の内容】
【０００２】
スポーツ、医薬送達、患者モニタリング、又は身体部分の保護のために、着用可能な皮膚パッチを使用することができる。多くの場合、着用可能なパッチは、もはや人が着用する必要がなくなる前に複数回交換される。パッチ交換は、しばしば、感染の発生及びユーザの不快感を抑えようとする衛生要件によって必要とされる。しかしながら、パッチの交換は、コスト及び時間がかかり、それは複雑さに依存して増加し得る。医療用パッチの場合、ヘルスケア従事者は、彼らが管理している患者集団の大きさに依存して、所与の1日に多数の医療用パッチを完全に取り外して交換する時間を有さないことがある。在宅介護の状況では、ユーザは、パッチを所定の場所で適切に交換するのに困難を有することがある。
米国特許出願公開第２０１１／００７７４９７号は、被験者からの生理学的特性に基づいて信号を創成するように構成されるセンサと、センサからの信号を受信するように構成されるハブとを含む、生物医学センサシステムを開示している。システムは、センサとハブとを連結するように構成されるコネクタを更に含み、コネクタは、センサ及びハブが、コネクタの長さを変更することによって可変距離だけ離れて位置付けられることができるよう、可変長を有する。
国際公開第２０１０／０３９７５１Ａ１号は、カテーテルを患者に固定する固定デバイスを開示しており、固定デバイスは、曲げやすい支持体を有する近位部分と、曲げやすい支持体から離れる方向に延びる少なくとも１つの固定アームとを含む。
【手続補正３】
【補正対象書類名】明細書
【補正対象項目名】０００６
【補正方法】変更
【補正の内容】
【０００６】
上記実施形態のうちの１つの装置を含み、センサが、接着本体と、センサに電力供給する電源及び／又はセンサを制御するコントローラとに接続される、コンピューティングデバイスが提供されてもよい。
【手続補正４】
【補正対象書類名】明細書
【補正対象項目名】０００７
【補正方法】変更
【補正の内容】
【０００７】
様々な実施形態において、センサは、第２の接着表面が接着本体の非接着表面に接着させられるときに動作モードを変更するように構成されてよい。
【国際調査報告】
2019537470.tif 000019
2019537470.tif 000020